(57)【要約】      （修正有）【課題】ケース本体を取りかえることなく、異なる装飾効果を容易に得ることができる携帯電子機器用保護ケースを提供する。【解決手段】携帯電子機器用保護ケースの本体部の一方側には、携帯電子機器を収納するための第一収容部１２が設けられ、反対側には、金属製の装飾シート２００を装着するための第二収容部１４が設けられている。【選択図】図３
0003184925.tif 000002
【実用新案登録請求の範囲】
【請求項１】
本体部を備えた携帯電子機器用保護ケースであって、
前記本体部の一方側には、携帯電子機器を収納するための第一収容部が設けられ、前記本体部の前記一方側の反対側には、金属製の装飾シートを装着するための第二収容部が設けられていることを特徴とする携帯電子機器用保護ケース。
【請求項２】
前記本体部は、底板を備え、前記第二収容部は、前記底板の外面に形成された凹所であり、前記金属製の装飾シートは、前記第二収容部内に貼り付けられることを特徴とする請求項１に記載の携帯電子機器用保護ケース。
【請求項３】
前記第二収容部は、前記第一収容部に対向して配置され、前記第二収容部の長さ及び深さは、前記第一収容部よりそれぞれ小さいことを特徴とする請求項１または２に記載の携帯電子機器用保護ケース。
【請求項４】
前記本体部は、２つの側板をさらに備え、２つの前記側板は、前記底板の対向する両側に対称的に設けられ、且つ前記底板と共同で前記第一収容部を形成していることを特徴とする請求項２に記載の携帯電子機器用保護ケース。
【請求項５】
本体部と、装飾シートと、前記本体部の互いに相反する両側に位置している第一収容部及び第二収容部と、を備え、
前記第一収容部は、携帯電子機器を収納するために用いられ、前記装飾シートは、前記第二収容部内に着脱可能に収納されることを特徴とする携帯電子機器用保護ケース。
【請求項６】
前記装飾シートは、金属材料からなり、前記本体部は、底板を備え、前記第二収容部は、前記底板の外面に形成された凹所であり、前記装飾シートは、前記第二収容部内に貼り付けられることを特徴とする請求項５に記載の携帯電子機器用保護ケース。
【考案の詳細な説明】
【技術分野】
【０００１】
本考案は、携帯電子機器のアクセサリーに関し、特に携帯電子機器の保護ケースに関するものである。
【背景技術】
【０００２】
現在、携帯電話機等の携帯電子機器のハウジングが摩擦或いは衝撃によって損傷されることを防止するために、通常、携帯電子機器を専用の保護ケース内に装着させて該携帯電子機器を保護している。
【０００３】
一方、カスタマイズ及びファッション化を追求するため、様々な色彩及びパターンを有する携帯電話機用のハウジングが出現している。しかしながら、ユーザーは異なる色及び／或いはパターンのハウジングを使用したい場合、前記ハウジング全体を取り換えなければならず、資源の浪費をもたらす。
【考案の概要】
【考案が解決しようとする課題】
【０００４】
そこで、本考案は上記の問題点を考慮した上で、異なる装飾効果を容易に得ることができる携帯電子機器用保護ケースを提供することを目的とする。
【課題を解決するための手段】
【０００５】
上記の課題を解決するために、本考案に係る携帯電子機器用保護ケースは、本体部を備えている。前記本体部の一方側には、携帯電子機器を収納するための第一収容部が設けられ、前記本体部の前記一方側の反対側には、金属製の装飾シートを装着するための第二収容部が設けられている。
【０００６】
また、上記の課題を解決するために、本考案に係る携帯電子機器用保護ケースは、本体部と、装飾シートと、前記本体部の互いに相反する両側に位置する第一収容部及び第二収容部と、を備えている。前記第一収容部は、携帯電子機器を収納するために用いられ、前記装飾シートは、前記第二収容部内に着脱可能に収納される。
【考案の効果】
【０００７】
本考案は、携帯電子機器用保護ケースの本体部の対向する両面に第一収容部及び第二収容部を同時に設けて、第一収容部で携帯電子機器を収納して保護すると共に、第二収容部で装飾シートを装着することができる。また、装飾シートは、取り換えることができるので、携帯電子機器用保護ケースを使用した携帯電子機器に対して異なる装飾効果を付与することができる。
【図面の簡単な説明】
【０００８】
【図１】本考案の携帯電子機器用保護ケースの内面を示す斜視図である。
【図２】本考案の携帯電子機器用保護ケースの外面を示す斜視図である。
【図３】本考案の携帯電子機器用保護ケースの装飾シートと本体部とを分離させた状態を示す図である。
【図４】図３に示した携帯電子機器用保護ケースのＩＶ−ＩＶ線に沿った断面図である。
【考案を実施するための形態】
【０００９】
図１及び図２に示すように、本考案に係る携帯電子機器用保護ケース１は、携帯電話機及びマルチメディアプレヤー等をその中に収納して保護すると共に、携帯電子機器に装飾効果を付与する。
【００１０】
図３及び図４を併せて参照すると、携帯電子機器用保護ケース１は、本体部１００及び装飾シート２００を備える。本体部１００は、底板１０及び２つの側板３０を備える。２つの側板３０は、底板１０の左右両側に対称的に設けられ、且つ底板１０と共同で携帯電子機器を収容するための第一収容部１２を形成する。本体部１００の第一収容部１２の反対側の面には、第二収容部１４が設けられている。本実施形態において、第二収容部１４は、底板１０の外面に形成された凹所であり、その長さ及び深さがそれぞれ第一収容部１２より小さい。また、第二収容部１４は、装飾シート２００を装着するために用いられる。
【００１１】
本実施形態において、装飾シート２００は、アルミ合金等の金属薄片である。装飾シート２００の表面には、エッチング、ＣＮＣ彫刻或いはインクを印刷する等の表面処理技術によって、異なる色彩及び／或いはパターンが形成されている。装飾シート２００は、金属材料を採用しているので、携帯電子機器の質感を向上させ、ユーザーのカスタマイズの需要を満足させることができる。これと同時に、金属シートはより高い硬度を有するため、それを本体部１００の第二収容部１４内に容易に且つ平坦に収納させることができる。
【００１２】
本考案の携帯電子機器用保護ケース１を使用する場合、携帯電子機器を第一収容部１２に対応して収納させた後、接着の方式で装飾シート２００を第二収容部１４内に固定すれば良い。具体的には、装飾シート２００に接着剤を塗った後、装飾シート２００を第二収容部１４内に貼り付ける。
【００１３】
異なる色彩及び／或いはパターンの携帯電子機器用保護ケース１を使用したい場合、携帯電子機器用保護ケース１の背面の装飾シート２００を取り換えればよく、本体部１００を交換する必要がない。
【００１４】
また、本実施形態において、携帯電子機器のカメラが容易に撮影を行えるように、底板１０の上端に第一開口１６を設けることができる。同じように、携帯電子機器用保護ケース１の側板３０に、携帯電子機器のファンクションキー或いは接続ポートを露出させるための第二開口３２を設けることもできる。
【００１５】
上記の実施形態によると、本考案の携帯電子機器用保護ケース１の本体部１００の対向する両面には、第一収容部１２及び第二収容部１４が同時に形成されているので、ユーザーは携帯電子機器用保護ケース１で、携帯電子機器を収納して保護するだけではなく、装飾シート２００を装着することもできる。また、装飾シート２００は、取り換えることができるので、携帯電子機器用保護ケース１を使用した携帯電子機器に対して異なる装飾効果を付与することができる。
【００１６】
以上、本考案の好適な実施形態について詳細に説明したが、本考案は前記実施形態に限定されるものではなく、本考案の範囲内で種々の変形又は修正が可能であり、該変形又は修正も又、本考案の実用新案登録請求の範囲内に含まれるものであることは、いうまでもない。
【符号の説明】
【００１７】
１      携帯電子機器用保護ケース
１０    底板
１２    第一収容部
１４    第二収容部
１６    第一開口
３０    側板
３２    第二開口
１００  本体部
２００  装飾シート
【図１】
0003184925.tif 000003
【図２】
0003184925.tif 000004
【図３】
0003184925.tif 000005
【図４】
0003184925.tif 000006